(57)【要約】      （修正有）【課題】簡易に製造が可能で、気軽に利用できる、トイレの便器を清掃するために用いられる清掃用ブラシを提供する。【解決手段】清掃用ブラシを把持するホルダー部１１と、ホルダー部から上方に伸びる柄部１２と、柄部の端部に設けられた長短のブラシ毛、もしくはスポンジを備えるブラシ部１４と、ブラシ部を上方に向けて清掃用のブラシを直立固定させるために、ホルダー部の端部に設けられ、ホルダー部の径より大きい径である置き台部１５と、を備える。清掃後、清掃ブラシ部を上方に向けておくことが可能となり、さらに滴受け部で水滴が落下して床面が汚れることを防ぎながら、気軽に利用ができる。【選択図】図１
0003228877.tif 000002
【実用新案登録請求の範囲】
【請求項１】
清掃用のブラシであって、
ブラシを把持するホルダー部と、
前記ホルダー部から上方に伸びる柄部と、
前記柄部の端部に設けられた長短のブラシ毛、もしくはスポンジを備えるブラシ部と、
前記ブラシ部を上方に向けて清掃用のブラシを直立固定させるために備える、前記ホルダー部の端部に設けられ、前記ホルダー部の径より大きい径である置き台部と、
を備えることを特徴とする清掃用のブラシ。
【請求項２】
請求項１のブラシであって、
前記置き台部が分離する機能を有すること、
を特徴とする清掃用のブラシ。
【請求項３】
請求項１、及び請求項２のブラシであって、
前記柄部の中間部に設けられた逆円すい状の滴受け部と、
を備えることを特徴とする清掃用のブラシ。
【請求項４】
請求項３のブラシであって、
前記滴受け部が切れ目部を備え、前記柄部から分離する機能を有すること、
を特徴とする清掃用のブラシ。
【請求項５】
請求項３のブラシであって、
前記柄部上部の直径が前記柄部下部に向けて徐々に小さくなり、
前記柄部の直径最大部と最小部の間の位置に滑り止め部を備え、
前記滴受け部が前記滑り止め部によって固定されており、
前記滴受け部を下に降ろすことによって柄部から分離する機能を有すること、
を特徴とする清掃用のブラシ。
【請求項６】
請求項３乃至請求項５のブラシであって、
前記滴受け部が前記柄部を１枚の板状の部材で包む苞形で形成されること、
を特徴とする清掃用のブラシ。
【考案の詳細な説明】
【技術分野】
【０００１】
本考案は、例えばトイレの便器を清掃するために用いられる清掃用ブラシに関する。
【背景技術】
【０００２】
トイレの便器を清掃するために用いられる清掃用ブラシは、ブラシを把持するホルダー部、棒状の柄部と、柄の先端に設けられたブラシ部とを備えている。清掃用ブラシは、筒状をなす清掃用ブラシ収納容器の開口にブラシ部を向けて、清掃用ブラシ収納容器の内部に差し込まれ、清掃用ブラシ収納容器に収納されトイレスペースの一角等に載置される。
清掃用ブラシの使用者は、清掃用ブラシ収納容器から、清掃用ブラシを取り出して便器を清掃する。そして、清掃の終了後、使用者は、清掃用ブラシを清掃用ブラシ収納容器に収納する。
【０００３】
特許文献１、及び特許文献２には、清掃用ブラシ（ トイレ用ブラシ） 及び清掃用ブラシ収納容器（ トイレ用ブラシ容器） を備えた清掃用ブラシセットが開示されている。
【先行技術文献】
【特許文献】
【０００４】
【特許文献１】特開２００９−１７８４８８号公報
【特許文献２】特開２０１９−１０１７７号公報
【考案の概要】
【考案が解決しようとする課題】
【０００５】
特許文献１、及び特許文献２に記載の清掃用ブラシを固定設置するためには、同文献記載の収納容器が必要であるが、この収納容器は構造が非常に複雑であり、製造コストが高くなる。そこで簡易に製造が可能であり、気軽に利用ができる清掃用ブラシが求められていた。
【課題を解決するための手段】
【０００６】
前記課題を解決するために、請求項１の考案は清掃用のブラシであって、ブラシを把持するホルダー部と、前記ホルダー部から上方に伸びる柄部と、前記柄部の端部に設けられた長短のブラシ毛、もしくはスポンジを備えるブラシ部と、前記ブラシ部を上方に向けて清掃用のブラシを直立固定させるために備える、前記ホルダー部の端部に設けられ、前記ホルダー部の径より大きい径である置き台部と、を備えることを特徴としている。
【０００７】
請求項２の考案は清請求項１のブラシであって、前記置き台部が分離する機能を有すること、を特徴としている。
【０００８】
請求項３の考案は請求項１、及び請求項２のブラシであって、前記柄部の中間部に設けられた逆円すい状の滴受け部と、を備えることを特徴としている。
【０００９】
請求項４の考案は請求項３のブラシであって、前記滴受け部が分離する機能を有すること、を特徴としている。
【００１０】
請求項４の考案は請求項３のブラシであって、前記柄部上部の直径が前記柄部下部に向けて徐々に小さくなり、前記柄部の直径最大部と最小部の間の位置に前記柄部に滑り止め部を備え、前記滴受け部が前記滑り止め部によって固定されており、前記滴受け部を下に降ろすことによって柄部から分離する機能を有すること、を特徴としている。
【００１１】
請求項５の考案は請求項３、及び請求項４のブラシであって、  前記滴受け部が前記柄部を１枚の板状の部材で包む苞形で形成されることを特徴としている。
【考案の効果】
【００１２】
本考案によれば、ホルダー部の端部に置き台を設けたことにより、清掃後、清掃ブラシ部を上方に向けておくことが可能となり、さらに滴受け部で水滴が落下して床面が汚れることを防ぎながら、気軽に利用ができ、構造も簡易な清掃用ブラシを提供することが可能となる。
【図面の簡単な説明】
【００１３】
【図１】本考案の実施形態に係る清掃用ブラシ１の斜視図である。
【図２】本考案の実施形態に係る清掃用ブラシ１の正面図である。
【図３】本考案の実施形態に係る清掃用ブラシ１の背面図である。
【図４】本考案の実施形態に係る清掃用ブラシ１の右側側面図である。
【図５】本考案の実施形態に係る清掃用ブラシ１の左側側面図である。
【図６】本考案の実施形態に係る清掃用ブラシ１の平面図である。
【図７】本考案の実施形態に係る清掃用ブラシ１の底面図である。
【図８】本考案の実施形態に係る清掃用ブラシ１の滴受け部１３が円すい状とした斜視図である。
【図９】本考案の実施形態に係る清掃用ブラシ１の置き台部１５が清掃用ブラシ１から分離する状態を図示した図である。
【図１０】本考案の実施形態に係る清掃用ブラシ１ｃが円すい状滴受け部１３ｂを取り付ける以前の斜視図である。
【図１１】本考案の実施形態に係る清掃用ブラシ１ｃが円すい状滴受け部１３ｂを取り付けた後の状態を図示した図である。
【図１２】本考案の実施形態に係る清掃用ブラシ１を把持した図である。
【図１３】本考案の実施形態に係る清掃用ブラシ１で便器を清掃する図である。
【図１４】清掃後に本考案の実施形態に係る清掃用ブラシ１を直立させた図である。
【図１５】本考案の実施形態に係る直立した清掃用ブラシ１にトイレットペーパー２１を入れた図である。
【図１６】本考案の実施形態に係る清掃用ブラシ１の柄部１２から円すい状滴受け部１３ｂを取り外した図である。
【図１７】本考案の実施形態に係る清掃用ブラシ１ｃで便器を清掃する図である。
【図１８】清掃後に本考案の実施形態に係る清掃用ブラシ１ｃを直立させた図である。
【図１９】本考案の実施形態に係る直立した清掃用ブラシ１ｃにトイレットペーパー２１を入れた図である。
【図２０】本考案の実施形態に係る清掃用ブラシ１ｃの柄部１２から円すい状滴受け部１３ｂを取り外した図である。
【考案を実施するための形態】
【００１４】
以下、添付図面を参照しながら本考案の実施の形態について説明する。以下の実施の形態は、本考案を説明するための例示であり、本考案をその実施の形態のみに限定する趣旨ではない。また、本考案は、その要旨を逸脱しない限り、様々な変形が可能である。さらに、各図面において同一の構成要素に対しては可能な限り同一の符号を付し、重複する説明は省略する。
【００１５】
［本考案の最良形態］
本考案の最良実施例として、本考案にかかる清掃用ブラシ１を図１乃至図９に沿って説明する。図１は清掃用ブラシ１の斜視図、図２は清掃用ブラシ１の正面図、図３は清掃用ブラシ１の背面図、図４は清掃用ブラシ１の右側側面図、図５は清掃用ブラシ１の左側側面図、図６は清掃用ブラシ１の平面図、図７は清掃用ブラシ１の底面図、図８は清掃用ブラシ１の滴受け部１３が円すい状とした斜視図、及び図９は清掃用ブラシ１の置き台部１５が清掃用ブラシ１から分離する状態を図示したものである。
【００１６】
図１乃至図５に示す通り、清掃用ブラシ１の全長Ｈについては１００ｍｍ以上１０００ｍｍ以下、好ましくは２００ｍｍ以上８００ｍｍ以下、さらに好ましくは３００ｍｍ以上６００ｍｍ以下である。
【００１７】
清掃用ブラシ１はブラシを把持するためのホルダー部１１を有する。ホルダー部１１は図示するように円柱形でも良いし、多角柱形、もしくが手で把持した状態の形にフィットするように、凹凸があっても良い。ホルダー部１１の材質は問わないが、金属製、またはプラスチック製が好ましい。ホルダー部１１の径Ｄ１については１０ｍｍ以上１００ｍｍ以下、好ましくは２０ｍｍ以上８０ｍｍ以下、さらに好ましくは３０ｍｍ以上５０ｍｍ以下である。
【００１８】
清掃用ブラシ１はホルダー部１１から上方に伸びる柄部１２を有する。図示するように柄部１２はホルダー部１１と同じ形状で、円柱形でも良いし、多角柱形でも良い。柄部１２の材質は問わないが、ホルダー部１１と同様に金属製、またはプラスチック製が好ましい。柄部１２は軽くて丈夫なものが好ましく、径Ｄ２についてはＤ１より小さくても大きくてもよく、２ｍｍ以上４０ｍｍ以下、好ましくは３ｍｍ以上３０ｍｍ以下、さらに好ましくは５ｍｍ以上２０ｍｍ以下である。また径Ｄ２は均一である必要はなく、上部から徐々に細くなっても良いし、徐々に太くなっても良い。
【００１９】
清掃用ブラシ１は柄部１２の中間部に滴受け部１３を有する。図示している滴受け部１３は柄部１２を１枚の板状の部材で包む苞形をしており、花の一種であるカラー（オランダカイウ）の花弁のような形状を有する花形滴受け部１３ａである。この最良形態は、視覚を通じて美観を起こさせる同形状が好ましいが、図８に図示するように単純な円すい状滴受け部１３ｂでも良い。花形滴受け部１３ａ、もしくは円すい状滴受け部１３ｂの部材の材質は問わないが、ホルダー部１１と同様に金属製、またはプラスチック製が好ましい。
【００２０】
清掃用ブラシ１は柄部１２の端部に長短のブラシ毛、もしくはスポンジから成るブラシ部１４を有する。ブラシ部１４は、トイレの汚れを落とすためのものである。ブラシ部１４には長いブラシ毛１４ａ、及び短いブラシ毛１４ｂが多数形成され、これら長いブラシ毛１４ａの先端により、ブラシ部１４の最外形が形成されても良いし、単純なスポンジのみでも良い。本最良実施形態では、その最外形が、洗浄用のたわし（束子）の外形のような形状となるようにブラシ毛１４ａの長さが調整されている。
【００２１】
ブラシ部１４、ブラシ毛１４ａ 、及び１４ ｂ は、例えば、ＥＶＡ樹脂（ Ethylene-Vinyl Acetate エチレン-酢酸ビニル共重合樹脂） 等の合成樹脂により形成されている。ＥＶＡ樹脂は柔軟性、撥水性に優れた樹脂である。ブラシ毛１４ａ 、及び１４ ｂはＥＶＡ樹脂に限らず、動物の毛でも良いし、他の合成樹脂でも良い。
【００２２】
最近のトイレ便器自体が表面をハードコーティングして有るため、汚物の付着が少なくて済むようにしている。このため、ブラシ部１４は硬い素材ではなく、柔らかい素材が望ましい。
【００２３】
清掃用ブラシ１は清掃が終わった後に、図１乃至図５に示す通り、ブラシ部１４を上方に向けて清掃用ブラシ１を直立固定させる。ホルダー部１１は図示するように台形柱形でも良いし、円筒形、及び多角柱形でも良い。清掃用ブラシ１は直立する目的として、ホルダー部１１の端部に置き台部１５を備える。直立させるために、置き台部１５の底面径Ｄ３はホルダー部１１の径Ｄ１よりも大きい５０ｍｍ以上３００ｍｍ以下、好ましくは８０ｍｍ以上２００ｍｍ以下、さらに好ましくは１００ｍｍ以上１５０ｍｍ以下である。
【００２４】
置き台部１５は清掃用ブラシ１と一体となっていても良いし、分離できるようになっていても良い。図９に図示するように、分離する際は、図置き台部１５にはホルダー部１１が差し込めるようにホルダー部１１の径Ｄ１よりも数ｍｍ大きい径Ｄ４の差込穴１６を備える。
【００２５】
［本考案の応用形態］
本考案の応用実施例として、本考案にかかる清掃用ブラシ１を図１０、および図１１に沿って説明する。図１０は円すい状滴受け部１３ｂを取り付ける以前の清掃用ブラシ１ｃの斜視図、図１１は円すい状滴受け部１３ｂを取り付けた後の清掃用ブラシ１ｃの状態を図示したものである。
【００２６】
図１０、および図１１に示す通り、清掃用ブラシ１ｃの全長Ｈについては最良形態である清掃用ブラシ１と同様に、１００ｍｍ以上１０００ｍｍ以下、好ましくは２００ｍｍ以上８００ｍｍ以下、さらに好ましくは３００ｍｍ以上６００ｍｍ以下である。
【００２７】
清掃用ブラシ１ｃはブラシを把持するためのホルダー部１１を備え、ホルダー部１１の径Ｄ１については最良形態である清掃用ブラシ１と同様に１０ｍｍ以上１００ｍｍ以下、好ましくは２０ｍｍ以上８０ｍｍ以下、さらに好ましくは３０ｍｍ以上５０ｍｍ以下であるが、円すい状滴受け部１３ｂの下部の径Ｄ４よりも小さい径とする。下部から取り付けを行うためである。
【００２８】
清掃用ブラシ１ｃはホルダー部１１から上方に伸びる柄部１２を有する。図示するように柄部１２はホルダー部１１と同じ形状であるが、上部に向けて徐々に太くなる。円すい状滴受け部１３ｂを固定するためである。
【００２９】
清掃用ブラシ１は柄部１２の中間部に滑り止め部１７を有する。滑り止め部１７は円すい状滴受け部１３ｂを固定するために備える。図１１に図示しているように円すい状滴受け部１３ｂを下から上げ、径がＤ４となったところで、それ以上、上部には上がらず、滑り止め部１７によって固定される。滑り止め部１７の部材の材質は問わないが、摩擦力で円すい状滴受け部１３ｂを固定できるように摩擦力が高くなる、高分子材料であるゴム、及びプラスチック等が好ましい。
【００３０】
清掃用ブラシ１ｃは清掃が終わった後に、図１１に示す通り、ブラシ部１４を上方に向けて清掃用ブラシ１ｃを直立固定させる。清掃用ブラシ１ｃは直立する目的として、最良形態と同様にホルダー部１１の端部に置き台部１５を備える。
【００３１】
置き台部１５は円すい状滴受け部１３ｃの取り付けることを可能とするため、分離できるようになっている。図１１に図示するように、分離する際は、図置き台部１５にはホルダー部１１が差し込めるようにホルダー部１１の径Ｄ１よりも数ｍｍ大きい径Ｄ４の差込穴１６を備える。
【００３２】
［清掃用ブラシ１使用例］
上記で形態を説明した、清掃用ブラシ１の具体的な使用例について図１２乃至図１８に沿って説明する。図１２は清掃用ブラシ１を把持した図、図１３は清掃用ブラシ１で便器を清掃する図、図１４は清掃後に清掃用ブラシ１を直立させた図、図１５は直立した清掃用ブラシ１にトイレットペーパー２１を入れた図、図１６は清掃後に円すい状滴受け部１３ｂを外した図である。
【００３３】
まず、図１２に示す通り、ホルダー部１１を把持し、持ち上げ、図１３に示す通りトイレの便器２等を清掃する。
【００３４】
ここからは、説明、及び図示をし易いように、滴受け部１３が円すい状滴受け部１３ｂを備える、清掃用ブラシ１ｂを用いて使用例の説明を行う。清掃後に図１４に示す通り、清掃用ブラシ１を直立させる。すると、ブラシ部１４から水滴２０１が下に垂れるが、そこは滴受け部１３ｂに水滴２０１が溜まる。その水滴２０１を吸収するようにトイレットペーパーの切れ端２１を滴受け部１３ｂ内に投入して、図１５に示す通り、トイレットペーパーの切れ端２１が水滴２０１を吸い取っても良い。
【００３５】
水滴２０１を吸い取ったトイレットペーパーの切れ端２１は、次回清掃時に、円すい状滴受け部１３ｂが下を向くため、便器内に落ちるが、図１６に示すとおり、柄部１２から円すい状滴受け部１３ｂを取り外して、トイレットペーパーの切れ端２１を取り除いても良い。円すい状滴受け部１３ｂは切れ目部１３２を備えて、滴受台１３１にのせておいても良い。切れ目部１３２の接着方法は面ファスナーでも良いし、ホック状のもので接着しても良いし、他の方法でも良い。
【００３６】
［清掃用ブラシ１ｃ使用例］
上記で応用形態を説明した、清掃用ブラシ１ｃの具体的な使用例について図１７乃至図２０に沿って説明する。図１７は円すい状滴受け部１３ｂを外した状態の清掃用ブラシ１ｃで便器を清掃する図、図１８は清掃後に清掃用ブラシ１ｃを直立させた図、図１９は直立した清掃用ブラシ１ｃにトイレットペーパー２１を入れた図、図２０は清掃後に円すい状滴受け部１３ｂを外した図である。
【００３７】
まず、図１７に示す通り、円すい状滴受け部１３ｂを外した状態で、トイレの便器２等を清掃する。
【００３８】
清掃後に図１８に示す通り、清掃用ブラシ１ｃを直立させる。すると、ブラシ部１４から水滴２０１が下に垂れるが、そこは滴受け部１３ｂに水滴２０１が溜まる。その水滴２０１を吸収するようにトイレットペーパーの切れ端２１を滴受け部１３ｂ内に投入して、図１９に示す通り、トイレットペーパーの切れ端２１が水滴２０１を吸い取っても良い。
【００３９】
水滴２０１を吸い取ったトイレットペーパーの切れ端２１は、次回清掃時に、円すい状滴受け部１３ｂが下を向くため、便器内に落ちるが、図２０に示すとおり、柄部１２から円すい状滴受け部１３ｂを下におろして取り外しても良い。
【符号の説明】
【００４０】
１  清掃用ブラシ
１ｂ  （円すい状滴受け部１３ｂを備える）清掃用ブラシ
１ｃ  （下部から滴受け部１３ｂを取り付ける）清掃用ブラシ
２  便器
１１  ホルダー部
１２  柄部
１３  滴受け部
１３ａ  花形滴受け部
１３ｂ  円すい状滴受け部
１４  ブラシ部
１５  置き台部
１６  置き台部差し込み穴
１７  滑り止め部
２１  トイレットペーパーの切れ端
１３１  滴受け部台
１３２  滴受け部切れ目部
２０１  水滴
Ｄ１  ホルダー部１１の直径
Ｄ２  柄部１２の直径
Ｄ３  置き台１５の底面部直径
Ｄ４  円すい状滴受け部下部の直径、及び柄部１２中間部の直径
Ｈ  清掃用ブラシの全高
【図１】
0003228877.tif 000003
【図２】
0003228877.tif 000004
【図３】
0003228877.tif 000005
【図４】
0003228877.tif 000006
【図５】
0003228877.tif 000007
【図６】
0003228877.tif 000008
【図７】
0003228877.tif 000009
【図８】
0003228877.tif 000010
【図９】
0003228877.tif 000011
【図１０】
0003228877.tif 000012
【図１１】
0003228877.tif 000013
【図１２】
0003228877.tif 000014
【図１３】
0003228877.tif 000015
【図１４】
0003228877.tif 000016
【図１５】
0003228877.tif 000017
【図１６】
0003228877.tif 000018
【図１７】
0003228877.tif 000019
【図１８】
0003228877.tif 000020
【図１９】
0003228877.tif 000021
【図２０】
0003228877.tif 000022